(57)【要約】【目的】  水槽内に風を送給する送風器具および水槽内を照射する照明器具を、水槽の上部に一つに纏めて占有スペースを少なくして配置することができ、また送風器具からの送風により照明器具の温度上昇を抑えるようにした。【構成】水槽Ｖの上部に取り付けられる防水性の単一の器具本体１に、水槽Ｖ内に向かって風を送給する送風器具Ｆと、その送風器具Ｆに隣接して水槽Ｖ内を照射する照明器具Ｌとを併設する。【選択図】      図１
2016189754.tif 000002
【特許請求の範囲】
【請求項１】
前後方向に細長く、上下方向に偏平に形成されて、水槽（Ｖ）の上部に配設される防水性の単一の器具本体（１）と、この器具本体（１）を水槽（Ｖ）に着脱可能に取り付ける取付部材（３）とを備えた水槽用照明、送風器具であって、
前記器具本体（１）に、水槽（Ｖ）内に向かって風を送給する送風器具（Ｆ）と、その送風器具（Ｆ）に隣接して水槽（Ｖ）内を照射する照明器具（Ｌ）とを併設したことを特徴とする、水槽用照明、送風器具。
【請求項２】
前記器具本体（１）の長手方向の中央部に前記送風器具（Ｆ）を設けると共にその両端部に対をなす前記照明器具（Ｌ）をそれぞれ設けたことを特徴とする、前記請求項１に記載の水槽用照明、送風器具。
【請求項３】
前記器具本体（１）には、前記送風器具（Ｆ）を、駆動・停止制御するスイッチ（１４）が設けられることを特徴とする、前記請求項１に記載の水槽用照明、送風器具。
【請求項４】
前記器具本体（１）の上面には、前記照明器具（Ｆ）に対面して放熱フィン（１８）が設けられていることを特徴とする、前記請求項１に記載の水槽用照明、送風器具。
【請求項５】
前記送風器具（Ｆ）と前記照明器具（Ｌ）とを仕切る仕切壁（２０）には通風路（２１）が設けられ、この通風路（２１）を通して送風器具（Ｆ）からの風を前記照明器具（Ｌ）に導くようにされていることを特徴とする、前記請求項１に記載の水槽用照明、送風器具。
【発明の詳細な説明】
【技術分野】
【０００１】
本発明は、金魚、熱帯魚、海水魚等の観賞魚の飼育用水槽の付帯設備として水槽内を照射し、また水槽内に送風して水槽水の温度上昇を抑制するようにした、水槽用照明、送風器具に関する。
【背景技術】
【０００２】
従来、水槽に設けられて水槽内を明るく照射するようにした照明器具、また水槽に設けられて水槽内に風を送給して、水槽内の水の過度の温度上昇を抑えるようにした、送風器具が知られている（たとえば、後記特許文献１参照）。
【先行技術文献】
【特許文献】
【０００３】
【特許文献１】特開２００７−６８４８２号公報
【発明の概要】
【発明が解決しようとする課題】
【０００４】
ところで、特許文献１のものでは、照明器具と送風器具とが別体に構成されるので、それらを共に水槽に取り付けようとすれば、それらの取付位置が制約を受けるばかりでなく、水槽の周囲が煩雑になり、さらにコスト高を招くという課題がある。
【０００５】
本発明は、かかる実情に鑑みてなされたもので、単一の器具本体に照明器具と送風器具とを併設して前記課題を解決し、加えて送風器具の送風ファンからの風により照明器具の温度上昇を抑えるようにした、新規な水槽用照明、送風器具を提供することを目的とする。
【課題を解決するための手段】
【０００６】
前記目的達成のため、請求項１に記載の発明は、前後方向に細長く、上下方向に偏平に形成されて、水槽の上部に配設される防水性の単一の器具本体と、この器具本体を水槽に着脱可能に取り付ける取付部材とを備えた水槽用照明、送風器具であって、
前記器具本体に、水槽内に向かって風を送給する送風器具とその送風器具に隣接して水槽内を照射する照明器具とを併設したことを特徴としている。
【０００７】
前記目的達成のため、請求項２に記載の発明は、前記請求項１に記載のものにおいて、  前記器具本体の長手方向の中央部に前記送風器具を設けると共にその両端部に対をなす前記照明器具をそれぞれ設けたことを特徴としている。
【０００８】
前記目的達成のため、請求項３に記載の発明は、前記請求項１に記載のものにおいて、  前記器具本体には、前記送風器具を、駆動・停止制御するスイッチが設けられることを特徴としている。
【０００９】
前記目的達成のため、請求項４に記載の発明は、前記請求項１に記載のものにおいて、  前記器具本体の上面には、前記照明器具に対面して放熱フィンが設けられていることを特徴としている。
【００１０】
前記目的達成のため、請求項５に記載の発明は、前記請求項１に記載のものにおいて、  前記送風器具と前記照明器具とを仕切る仕切壁には通風路が設けられ、この通風路を通して送風器具からの風を前記照明器具に導くようにされていることを特徴としている。
【発明の効果】
【００１１】
請求項１の発明によれば、水槽に取り付けた単一の器具本体に、水槽内に向かって風を送給する送風器具とその送風器具に隣接して水槽内を照射する照明器具とを併設したので、水槽に、送風器具および照明器具を一つに纏めて占有スペースを少なくして配置して水槽への取付自由度を高めることができ、さらに水槽全体の外観上の体裁を整えることができる。また送風器具と照明器具との隣接配置により、送風器具からの送風を照明器具に及ぼすことができ、照明器具の温度上昇を抑えることができる。
【００１２】
請求項２の発明によれば、器具本体の長手方向の中央部に送風器具を設けると共にその両端部に対をなす照明器具を設けたので、器具本体に送風器具と照明器具とをバランスよく配置することができ、それらは相互に干渉されずに、水槽内に風を送給し、水槽内を広域に亘り照射することができる。
【００１３】
請求項３の発明によれば、器具本体には、送風器具を、駆動・停止制御するスイッチが設けられるので、器具本体を水槽に取り付けたまま、送風器具を駆動、停止制御できる。
【００１４】
請求項４の発明によれば、器具本体の上面には、その照明器具に対面して放熱フィンが設けられるので、照明器具からの熱を有効に放散をして、その温度上昇を抑制することができる。
【００１５】
請求項５の発明によれば、送風器具と照明器具とを仕切る仕切壁には通風路が設けられ、この通風路を通して送風器具からの風を照明器具に導くようにされているので、送風器具からの送風により照明器具を有効に冷やすことができる。
【図面の簡単な説明】
【００１６】
【図１】水槽用照明、送風器具を水槽に取り付けた状態を示す斜視図
【図２】図１の２−２線に沿う拡大断面図
【図３】図２の３線矢視の水槽用照明、送風器具の拡大平面図
【図４】図２の４線矢視の水槽用照明、送風器具の拡大底面図
【図５】図２の５矢視仮想線囲い部分の拡大図
【図６】図５の６−６線に沿う断面図
【図７】変型例の図５と同じ断面図
【図８】図７の８−８線に沿う拡大断面図
【発明を実施するための形態】
【００１７】
以下、本発明の実施形態を添付図面１〜６に基づいて説明する。
【００１８】
図１，２に示すように、本発明にかかる水槽用照明、送風器具は、水槽Ｖの上部に取り付けられる。
【００１９】
一対の照明器具Ｌと送風器具Ｆを設けた、単一の器具本体１は、上下方向に偏平で、平面視前後方向に長い長方形に形成され、硬質の合成樹脂材により構成される。
【００２０】
器具本体１の長手方向の一端には、フレキシブルチューブ２を介して取付部材３が取り付けられる。この取付部材３は、コ字状の取付片３ａの一側に取付ネジ３ｂを螺挿して構成されており、図２に示すように、取付片３ａを水槽Ｖの上縁に嵌合し、取付ネジ３ｂを螺締することにより器具本体１は水槽Ｖ上縁に取り付けられる。フレキシブルチューブ２内には、電線４が挿通され、この電線４の内方は器具本体１内を通って後述する、一対の照明器具Ｌと送風器具Ｆとに接続され、また電線４の外方は、フレキシブルチューブ２より外部に延出されてその自由端に、図示しない電源コンセントに接続される差込プラグ５が取り付けられる。そして、器具本体１は、フレキシブルチューブ２を介して水槽Ｖに対して位置を調節できるようにされる。
【００２１】
図４，５に示すように、器具本体１の底面には、透明保護板６が複数の止めネジ７により水密に固着されている。
【００２２】
器具本体１の長手方向の中央部は、他の部分よりも若干上下方向に厚くされて、そこに平面視四角形状のファン室８が形成されており、このファン室８の外周は、ファンケース９により囲繞されている。ファンケース９内には、遠心ファンよりなる送風ファン１０が縦軸１１まわりに回転自在に支持されている。ファン室８の上面に放射状の吸排風口１２が開口され、またその下面に放射状の排風口１３がそれぞれ開口されていて、送風ファン１０の回転によれば、送風は、図５矢印ａに示すように、吸排風口１２より吸引され、図５矢印ｂに示すように排風口１３を通して下方に排出される。
【００２３】
なお、送風の一部は、図５矢印ｃに示すように吸排風口１２より器具本体１の上方にも流れて、照明器具Ｌに及ぶようにされている。
【００２４】
器具本体１には、送風器具Ｆの一側において、送風ファン１０を駆動・停止制御するスイッチ１４が設けられる。
【００２５】
器具本体１の長手方向の両端部には、前記送風器具Ｆに隣接して対をなす照明器具Ｌがそれぞれ設けられる。各照明器具Ｌは、絶縁基盤１６の下面に、照明灯、すなわち複数のＬＥＤが前後、左右に間隔をあけて点設されており、これらの照明灯ＬＥＤは、前記透明保護板６により被覆される。複数の照明灯ＬＥＤは、電線４に接続されていて差込プラグ５の電源への接続により一斉に点灯して、透明保護板６を通して水槽Ｖ内を照射するようにされている。
【００２６】
図３，５に示すように、前記絶縁基盤１６の上面には、上方に開放する放熱室１７が形成され、この放熱室１７内に複数条の放熱フィン１８が列設されており、これらの放熱フィン１８は、器具本体１の上面に露出されており、その上方を流れる送風ファン１０からの風を受けて照明灯ＬＥＤを冷やすようにされている。
【００２７】
次に、この実施形態の作用について説明する。
【００２８】
水槽用照明、送風器具は、図１，２に示すように、取付具３により、水槽Ｖの上部に取り付けられる。ここで差込プラグ５を電源に接続することにより、一対に照明器具Ｌは点灯されて、照明灯ＬＥＤは水槽Ｖ内を明るく照射することができる。
【００２９】
またスイッチ１４のＯＮ操作により送風器具Ｆの送風ファン１０が駆動されると、そこからの送風は、図５、矢印ａ、ｂに示すように水槽Ｖ内に送給されて、水槽水の過度の温度上昇を抑えることができる。また送風の一部は図５、矢印ｃに示すように、放熱室１７へと流れて、照明器具Ｌを冷やすことができる。
【００３０】
また、送風ファン１０は、送風器具１に設けたスイッチ１４のオン・オフ操作で、作動、停止制御できるので、この水槽用照明、送風器具を、常時水槽Ｖに取り付けたまま、夏期など水温が上昇した時に、一時的に送風ファン１０を駆動して水槽水の過度の温度上昇を抑えることができる。
【００３１】
図７，８には、本発明の変形例が示される。
【００３２】
この変形例によれば、器具本体１の、送風器具Ｆと照明器具Ｌとの仕切壁２０には、通風路２１が穿設され、この通風路２１は、送風ファン１０のファン室８と、放熱室１７との間を連通しており、送風ファン１０の駆動により、その遠心方向に流れる送風は、この通風路２１を通って放熱フィン１８に導かれて、複数の照明灯ＬＥＤを有効に冷やすことができる。
【００３３】
以上、実施の形態について説明したが、本発明はその実施の形態に限定されることなく、本発明の範囲内で種々の他の実施の形態が可能である。
【００３４】
たとえば、前記実施の形態では、器具本体に一対の照明器具が設けられるが、その照明器具は１つあるいは３つ以上であってもよい。また、前記実施の形態では、照明灯にＬＥＤが使用されるが、他の照明灯であってもよい。
【符号の説明】
【００３５】
１・・・・・・・器具本体
３・・・・・・・取付部材
１４・・・・・・・スイッチ
１８・・・・・・・放熱フィン
２０・・・・・・・仕切壁
２１・・・・・・・通風路
Ｆ・・・・・・・送風器具
Ｌ・・・・・・・照明器具
Ｖ・・・・・・・水槽
【図１】
2016189754.tif 000003
【図２】
2016189754.tif 000004
【図３】
2016189754.tif 000005
【図４】
2016189754.tif 000006
【図５】
2016189754.tif 000007
【図６】
2016189754.tif 000008
【図７】
2016189754.tif 000009
【図８】
2016189754.tif 000010